(57)【特許請求の範囲】
【請求項１】
凹状円弧板部(2) の外側後部に外向き傾斜の傾斜脚板部（3）、(3) を連設したうえ該傾斜脚板部(3) 、(3) の先端に取付片部(4) 、(4) を設けた被取付物固定金具（1）の前記一方の傾斜脚板部(3) にボルト挿通孔(5) を設けるとともに他方の傾斜脚板部(3) に係止孔(12)を多数配設した取付バンド(11)の該係止孔(12)を係合するフック部(6) 付きの取付バンド挿通孔(7) を設け、前記一方の傾斜脚板部(3) の後面からボルト挿通孔(5) に挿通したボルト(8) の軸部(8b)を取付バンド(11)の先端に形成した締付片部(13)に設けたボルト挿通孔(13a)に挿通させたうえナット(14)を螺合し、さらに、前記凹状円弧板部(2) の外側後部に外向き傾斜の傾斜脚板部（3）、(3) のうち、この傾斜の中で緩い傾斜の副脚板部(3b)にボルト挿通孔(5) を設けたことを特徴とするポール用取付金具。
【請求項２】
ボルト挿通孔(5) を設けた傾斜脚板部(3) を、凹状円弧板部(2)に続く強い傾斜の主脚板部(3a)とこれに続く緩い傾斜の副脚板部(3b)とこれに続く垂直脚板部(3c)よりなるものとして、緩い傾斜の副脚板部(3b)にボルト挿通孔(5) を設けた請求項１に記載のポール用取付金具。
【請求項３】
凹状円弧板部(2) 及び両傾斜脚板部(3) 、(3) の上下端後部に補強板部(9) 、(9) を一連に折曲形成した請求項１または２に記載のポール用取付金具。
【発明の詳細な説明】
【０００１】
【発明の属する技術分野】
本発明は、屋外の配電盤、制御盤等を電柱や電気機器取付用ポール等に取り付けるためのポール用取付金具の改良に関するものである。
【０００２】
【従来の技術】
従来のポール用取付金具は、図３及び図４に示すようにポール受板部５１の両側後方に連設した脚板部５２、５２の基端に取付板部５３、５３を折曲形成したボックス取付金具５０を該脚板部５２、５２の先端に形成した取付バンド挿通孔５４、５４に取付バンド５５を挿通したうえポール受板部５１をポール７０に当接し、続けて取付バンド５５をポール７０に巻きつけ該取付バンド５５の一端に折曲形成した締付片部５６に設けたボルト挿通孔５７にボルト５８を挿通したうえナット５９を螺合し、該ボルト５８の基端に設けた鉤部６０を取付バンド５５に配設した係止孔６１に係止させ、ナット５９を締めつけて取付バンド５５に張力を与えポール７０に取り付けるものであった。
【０００３】
【発明が解決しようとする課題】
ところが、この従来のものは取付バンド５５がポール７０を巻くように締まるため、取付バンド５５及びボックス取付金具５０をポール７０に取り付けておく力は強いが、ポール７０に対してボックス取付金具５０が回転を抑止する力は弱いものであった。そのため、ボックス取付金具５０の回転を防止するためには取付バンド５５の締めつけ力を強固にする必要があり作業が厄介であった。
【０００４】
【課題を解決するための手段】
前記のような課題を解決するためになされた本発明は、凹状円弧板部の両側に凸状ポール受部を設けるとともに両凸状ポール受部の外側後部に外向き傾斜の傾斜脚板部を連設したうえ該傾斜脚板部の先端に取付片部を設けた被取付物固定金具の前記一方の傾斜脚板部にボルト挿通孔を設けるとともに他方の傾斜脚板部に係止孔を多数配設した取付バンドの該係止孔を係合するフック部付きの取付バンド挿通孔を設け、前記一方の傾斜脚板部の後面からボルト挿通孔に挿通したボルトの軸部を取付バンドの先端に形成した締付片部に設けたボルト挿通孔に挿通させたうえナットを螺合し、さらに、前記凹状円弧板部の外側後部に外向き傾斜の傾斜脚板部のうち、この傾斜の中で緩い傾斜の副脚板部にボルト挿通孔を設けたことを特徴とするものである。また、ボルト挿通孔を設けた傾斜脚板部を、凹状円弧板部に続く強い傾斜の主脚板部とこれに続く緩い傾斜の副脚板部とこれに続く垂直脚板部よりなるものとして、緩い傾斜の副脚板部ボルト挿通孔を設けてもよい。さらには、凹状円弧板部及び両傾斜脚板部の上下端後部に補強板部を一連に折曲形成することが好ましい。
【０００５】
【発明の実施の形態】
次に本発明の実施の形態を図１及び図２により詳細に説明する。
１は凹状円弧板部２の両側に凸状ポール受部２ａ、２ａを設けるとともに両凸状ポール受部２ａ、２ａの外側後部に外向き傾斜の傾斜脚板部３、３を連設したうえ該傾斜脚板部３、３の先端に取付片部４、４を設けた被取付物固定金具である。この被取付物固定金具１の両傾斜脚板部３、３のうち一方の傾斜脚板部３にはボルト挿通孔５が設けられている。また、他方の傾斜脚板部３には係止孔１２を多数配設した取付バンド１１の該係止孔１２を係合するフック部６を孔縁に設けた取付バンド挿通孔７が１個又は複数個透設されている。なお、ボルト挿通孔５を設けた傾斜脚板部３は凹状円弧板部２に続く強い傾斜の主脚板部３ａとこれに続く緩い傾斜の副脚板部３ｂとこれに続く垂直脚板部３ｃよりなるものとして、緩い傾斜の副脚板部３ｂにボルト挿通孔５を設けている。このボルト挿通孔５は角根ボルトの角根部が回動は阻止されるが傾斜方向に摺動可能な長孔状としている。
【０００６】
８は前記ボルト挿通孔５に裏面側から挿通保持するボルトであり、該ボルト８は回り止め用の角根部８ａを設けたものとし該角根部８ａをボルト挿通孔５に嵌合し、ナット１５で該ボルト８を軽く固定しておきボルト８の軸部８ｂを取付バンド１１の先端に形成した締付片部１３に設けたボルト挿通孔１３ａに挿通させたうえナット１４を螺合し取付バンド１１を締めつけるものである。９、９は凹状円弧板部２及び傾斜脚板部３、３の上下端後部に一連に折曲形成した補強板部であり、取付バンド１１を締めつける際にポール受板部１及び傾斜脚板部３、３が歪むのを防止するものである。
【０００７】
このように構成されたものは、予め、被取付物固定金具１のボルト挿通孔５にボルト８を入れて角根部８ａを嵌合させてナット１５で軽く固定しておく。そして、ポール７０に取り付けるには先ず被取付物固定金具１の凹状円弧板部２の両側に設けた凸状ポール受部２ａ、２ａをポール７０に当接させ、取付バンド１１の先端に形成した締付片部１３に設けたボルト挿通孔１３ａにボルト挿通孔７に挿通させたボルト８の軸部８ｂを挿通してナット１４を仮締めし、該取付バンド１１をポール７０に巻きつけ取付バンド１１の基端を他方の傾斜脚板部３に透設した取付バンド挿通孔５に挿通したうえ取付バンド１１の所望の係止孔１２を該取付バンド挿通孔７の孔縁に設けたフック部６に係合する。続いてボルト８の軸部８ｂに仮締めしたナット１４を本締めしていけば取付バンド１１がポール７０を締めつけて凸状ポール受部２ａ、２ａを該ポール７０に食い込ませる形で被取付物固定金具１が固定されることとなる。
【０００８】
この場合に被取付物固定金具１がポール７０と当接する箇所は凹状円弧板部２の両側に設けた凸状ポール受部２ａ、２ａのみであり、また、ボルト８は外向き傾斜の傾斜脚板部３に設けたボルト挿通孔５の裏面側から挿通したものであるので、該ボルト８の軸部８ｂはポール７０に対して開いた位置をとるので太さの異なる種々のポールに対応できる。さらに、フック部６を孔縁に設けた取付バンド挿通孔７を階段状に複数個設けておけば対応できるポールの太さが多くなる。また、ナット１４を締めつけて取付バンド１１の先端に形成した締付片部１３を該ナット１４でボルト８の頭部側に移動させて取付バンド１１を緊張させた際に、ボルト８は頭部側を起点にポール７０側に引きつけられるので被取付物固定金具１がポール７０に強固に固定されることとなる。また、ボルト挿通孔５を設けた傾斜脚板部３を凹状円弧板部２に続く強い傾斜の主脚板部３ａとこれに続く緩い傾斜の副脚板部３ｂとこれに続く垂直脚板部３ｃよりなるものとして、緩い傾斜の副脚板部３ｂにボルト挿通孔５を設けることにより、ボルト８が被取付物固定金具１に対して垂直方向を向くので該被取付物固定金具１がポール７０に対して押しつけられ取付効力を得ることができ、より強固に固定されることとなる。
【０００９】
しかも、前記したようにボルト挿通孔５を設けた傾斜脚板部３は強い傾斜の主脚板部３ａとこれに続く緩い傾斜の副脚板部３ｂとこれに続く垂直脚板部３ｃよりなるものとしているので、傾斜脚板部３を折曲せず同一面状として該傾斜脚板部４の傾斜を緩くしてボルト８が被取付物固定金具１に対して垂直方向を向かせるのに比べ幅方向のサイズを小さくできる。さらには、ボルト挿通孔５を角根ボルトの角根部が回動は阻止されるが傾斜方向に摺動可能な長孔状としたものとすることによりボルト８として角根ボルトを使用してナット１５で軽く固定しておけばナット１４を締めつけ時に共回りせず容易に締めつけ作業が行うことができる。また、長孔状としたボルト挿通孔５の任意の箇所を選択できるのでポールに応じた最適な箇所にボルト８を位置させることができる。
【００１０】
このようにポール７０に固定した被取付物固定金具１の傾斜脚板部３、３の先端に設けたボックス取付片部４、４に電気機器収納箱等の被取付物２１を該ボックス取付片部４、４に設けたボルト挿通孔４ａにボルトを挿通して取り付けるものである。被取付物２１と傾斜脚板部３、３とポール７０は略台形を形成するので縦、横からの力に対しても対応でき、また、凹状円弧板部２及び傾斜脚板部３、３の上下端後部に補強板部９、９が一連に折曲形成されいるので取付バンド１１を締めつける際に凹状円弧板部２及び傾斜脚板部３、３が歪むのを防止するのは勿論のこと被取付物２１が重量物であっても破損したり歪む虞のないものである。
【００１１】
【発明の効果】
以上に説明したように、本発明はポール受板部の両側後部に連設した外向の傾斜脚板部の、一方の傾斜脚板部に設けたボルト挿通孔に挿通保持したボルトのボルト軸部に取付バンドの先端に形成した締付片部をナットで仮保持して、ポール受板部のポール受部をポールに当接し、他方の傾斜脚板部に設けた取付バンド挿通孔のフック部に前記取付バンドの係止孔を係合させたうえ仮保持したナットで取付バンドをボルト頭部側に移動させて締めつけるものであるから、ポール受板部はポールに押しつけられ取付効力を得ることができポールに対して回転することなく強固に取付することができる。また、取付作業も容易なうえ種々の太さのポールにも対応できるものである。
【図面の簡単な説明】
【図１】  本発明の実施の形態を示す一部切欠斜視図である。
【図２】  本発明の実施の形態を示す一部切欠平面図である。
【図３】  従来例を示す斜視図である。
【図４】  従来例を示す平面図である。
【符号の説明】
１  被取付物固定金具
２  凹状円弧板部
2a  凸状ポール受部
３  傾斜脚板部
3a  主脚板部
3b  副脚板部
3c  垂直脚板部
４  取付片部
５  ボルト挿通孔
６  フック部
７  取付バンド挿通孔
８  ボルト
8a  軸部
９  補強板部
11  取付バンド
12  係止孔
13  締付片部
13a ボルト挿通孔
14  ナット
【図１】
0004033366.tif 000002
【図２】
0004033366.tif 000003
【図３】
0004033366.tif 000004
【図４】
0004033366.tif 000005